【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
第１の放射波変調器と、前記第１の変調器に近接する第２の放射波変調器であって、それぞれの前記変調器は、
波動成分を受け取るためのトランスポートであって、１つの誘導領域と１つまたは複数の境界領域を有する導波管を含む前記トランスポートと、前記導波管内でインフルエンサ反応を強化するために前記導波管内に配置される複数の構成要素とを含み、
前記トランスポートに動作可能なように結合される、制御信号に応答する、前記波動成分の放射線−振幅−制御特性に、前記波動成分が前記トランスポートを通して移動するにつれて、前記導波管での前記インフルエンサ反応を誘発することによって影響を及ぼすためのインフルエンサと、
前記変調器に結合される、それぞれの前記変調器の前記振幅−制御特性を独立して制御するために前記制御信号を選択的にアサートするためのコントローラと、
を含んでおり、
前記振幅−制御特性は前記トランスポート内の前記波動成分の偏光特性であり、前記インフルエンサ反応は磁場誘発偏光回転であることを特徴とする放射線スイッチングアレイ。
【請求項２】
放射波から波動成分の内の少なくとも１つを生成するための第１の要素であって、それぞれの生成された波動成分は、偏光特性が直交偏光のセットの内の１つである偏光特性を有する第１の要素をさらに含んでいることを特徴とする請求項１に記載の放射線スイッチングアレイ。
【請求項３】
要素はトランスポートの内の１つまたは複数の中に統合されることを特徴とする請求項２に記載の放射線スイッチングアレイ。
【請求項４】
それぞれの変調器は第１の要素の内の１つを含むことを特徴とする請求項２に記載の放射線スイッチングアレイ。
【請求項５】
波動成分のそれぞれは第１の要素から作り出されることを特徴とする請求項２に記載の放射線スイッチングアレイ。
【請求項６】
影響を及ぼされた波動成分の内の少なくとも１つと相互に作用するための第２の要素であって、前記波動成分の振幅が制御信号に応えて変えられる第２の要素をさらに含んでいることを特徴とする請求項２に記載の放射線スイッチングアレイ。
【請求項７】
それぞれの変調器は第２の要素の内の１つを含んでいることを特徴とする請求項６に記載の放射線スイッチングアレイ。
【請求項８】
第２の要素は第１の要素の内の対応するものの光伝達軸から偏位された光伝達軸を有し、前記対応は共通トランスポートに結合し、共通波動成分と相互に作用することによって確立されることを特徴とする請求項６に記載の放射線スイッチングアレイ。
【請求項９】
第２の要素は第１の要素の内の対応するものの光伝達軸と実質的に位置合わせされた光伝達軸を有し、前記対応は共通トランスポートに結合し、共通波動成分と相互に作用することによって確立されることを特徴とする請求項６に記載の放射線スイッチングアレイ。
【請求項１０】
構成要素は、導波管を通して通信される波動成分の周波数で前記導波管のベルデ定数を高めることを特徴とする請求項１に記載の放射線スイッチングアレイ。
【請求項１１】
それぞれのトランスポートは第１のチャネルと第２のチャネルとを含み、それぞれの前記チャネルは波動成分の一部を含んでいることを特徴とする請求項１に記載の放射線スイッチングアレイ。
【請求項１２】
波動成分は直交特性のセットを含み、それぞれの部分は前記直交特性の内の１つを有することを特徴とする請求項１１に記載の放射線スイッチングアレイ。
【請求項１３】
直交特性のセットは左偏光と右偏光とを含むことを特徴とする請求項１２に記載の放射線スイッチングアレイ。
【請求項１４】
第１のチャネルは、第２のチャネルの第２の減衰プロファイルと異なる第１の減衰応答プロファイルを含んでいることを特徴とする請求項１１に記載の放射線スイッチングアレイ。
【請求項１５】
減衰プロファイルは、トランスポートの内の１つまたは複数の構造上の要素に反応することを特徴とする請求項１４に記載の放射線スイッチングアレイ。
【請求項１６】
切り替え方法であって、
ａ）互いに近接する複数のトランスポートのそれぞれで波動成分を受け取り、各トランスポートは、１つの誘導領域と１つまたは複数の境界領域を有する導波管を含み、複数の構成要素は前記導波管内でのインフルエンサ反応を強化するために前記導波管内に配置されるステップと、
ｂ）それぞれの前記波動成分の放射線−振幅−制御特性に、それがそれぞれの前記導波管を通って移動するときに独立して影響を及ぼすステップと、
を含んでおり、
前記放射線−振幅−制御特性は前記トランスポート内の前記波動成分の偏光特性であり、前記インフルエンサ反応は磁場誘発偏光回転であることを特徴とする方法。
【請求項１７】
ｃ）放射波から前記波動成分の内の少なくとも１つを生成し、それぞれの前記生成された波動成分が偏光特性を有し、前記偏光特性が直交偏光のセットの内の１つであるステップをさらに含むことを特徴とする請求項１６に記載の方法。
【請求項１８】
ｄ）影響を受けた波動成分の内の少なくとも１つと相互に作用し、前記波動成分の振幅が制御信号に応えて変化するステップをさらに含んでいることを特徴とする請求項１７に記載の方法。
【請求項１９】
集合的にピクチャエレメントを生成する複数の変調器チャネルであって、それぞれの前記チャネルは、
波動成分を受け取るためのトランスポートであって、１つの誘導領域と１つまたは複数の境界領域を有する導波管と、前記導波管内でインフルエンサ反応を強化するために前記導波管内に配置される複数の構成要素とを含むトランスポートと、
前記トランスポートに動作可能に結合され、制御信号に応答する、前記波動成分が前記トランスポートを通って移動するときに前記導波管内で前記インフルエンサ反応を誘発することによって前記波動成分の放射線−振幅−制御特性に影響を及ぼすためのインフルエンサと、
前記インフルエンサに結合される、それぞれの前記チャネルの前記振幅−制御特性を独立して制御するためにそれぞれの前記制御信号を選択的にアサートするためのコントローラと、
それぞれの前記チャネルから前記ピクチャエレメントの中に前記出力波動成分を結合するためのマージャ要素と、
を含んでおり、
前記放射線−振幅−制御特性は前記トランスポート内の前記波動成分の偏光特性であり、前記インフルエンサ反応は磁場誘発偏光回転であることを特徴とする放射線スイッチングアレイ。
【請求項２０】
放射波から波動成分の内の少なくとも１つを生成するための第１の要素であって、それぞれの前記生成された波動成分は偏光特性を有し、前記偏光特性は直交偏光のセットの１つである第１の要素をさらに含んでいることを特徴とする請求項１９に記載の放射線スイッチングアレイ。
【請求項２１】
影響を受けた波動成分の内の少なくとも１つと相互に作用するための第２の要素であって、前記波動成分の振幅が前記制御信号に応えて変化する第２の要素をさらに含んでいることを特徴とする請求項２０に記載の放射線スイッチングアレイ。
【請求項２２】
入射放射波を受け取り、前記入射放射波から波動成分のそれぞれを生成するスプリッタをさらに含んでいることを特徴とする請求項１９に記載の放射線スイッチングアレイ。
【請求項２３】
スプリッタは、それぞれが異なる直交偏光を有する第１の波動成分と第２の波動成分とを生成することを特徴とする請求項２２に記載の放射線スイッチングアレイ。
【請求項２４】
スプリッタは、それぞれが一致する１つの偏光を有する波動成分を生成することを特徴とする請求項２２に記載の放射線スイッチングアレイ。
【請求項２５】
製造方法であって、
ａ）それぞれのトランスポートは、１つの導波チャネルと、前記導波チャネルに関連付けられた１つまたは複数の境界領域を有する導波管を含み、前記トランスポートが前記導波管内でのインフルエンサ反応を強化するために前記導波管内に配置される複数の構成要素を含む複数のトランスポートを製造するステップと、
ｂ）複数の変調器を近接させ、各変調器が１つまたは複数のトランスポートと、前記トランスポートに結合され、１つまたは複数の制御信号に反応する、前記波動成分が前記１つまたは複数のトランスポートを通って伝播するときに前記導波管内で前記インフルエンサ反応を誘発することによって前記波動成分の放射線−振幅−制御特性に影響を及ぼすための１つまたは複数のインフルエンサとを含み、前記複数の変調器が制御システムからの前記１つまたは複数の制御信号に応えて前記トランスポートのそれぞれから情報を提供する集合情報プレゼンテーションシステムを形成するステップと、
を含んでいることを特徴とする方法。